(57)【要約】      （修正有）【課題】台紙に粘着したフィルムを容易に剥がすことができるフィルム付きメモシートを提供する。【解決手段】フィルム付きメモシート６は、台紙３と、台紙３に積層されるとともに、端部Xの固着部５において台紙３と固着された透光性のフィルム１と、フィルム本体１０の下面に敷設され、台紙３とフィルム１とを剥離可能に接着するフィルム粘着層２と、台紙の下面３Ｂに設けられた台紙粘着層４と、を備える。フィルム１は、台紙３に対向するフィルム本体１０と、フィルム本体１０から、台紙３との対向領域よりも外方に延出するタブ１１と、を有する。【選択図】図１
0003153855.tif 000002
【実用新案登録請求の範囲】
【請求項１】
台紙と、
前記台紙に積層されるとともに、少なくとも一端部において当該台紙に固着された透光性のフィルムと、
前記台紙における前記フィルムとの対向面と、前記フィルムにおける前記台紙との対向面と、の少なくとも一方に敷設され、前記台紙と前記フィルムとを剥離可能に接着する第１粘着層と、
前記台紙における前記フィルムとは反対側の面に設けられた第２粘着層と、を備え、
前記フィルムは、
前記台紙に対向するフィルム本体と、
前記フィルム本体から、前記台紙との対向領域よりも外方に延出するタブと、を有することを特徴とするフィルム付きメモシート。
【請求項２】
前記タブは、前記フィルムの他端部に設けられたことを特徴とする請求項１に記載のフィルム付きメモシート。
【請求項３】
前記第２粘着層は、前記台紙の両端部のうち、前記フィルムの他端部から遠い側の領域に設けられたことを特徴とする請求項１又は２に記載のフィルム付きメモシート。
【請求項４】
前記フィルムは、前記台紙の中途部に対して固着されたことを特徴とする請求項１から３のいずれか一項に記載のフィルム付きメモシート。
【請求項５】
前記台紙と、前記フィルム本体とが同サイズの矩形状であることを特徴とする請求項１から４のいずれか一項に記載のフィルム付きメモシート。
【考案の詳細な説明】
【技術分野】
【０００１】
本考案はメモシートに関するもので、さらに詳しくは、何度も書き換えることのできる、フィルム付きメモシートに関するものである。
【背景技術】
【０００２】
従来、メモ用具としてフィルム付きメモシートがある。このフィルム付きメモシートは、たとえば、着色した台紙の上面に軟質合成樹脂を塗着し、その上面にフィルムを配設して形成されている（特許文献１）。
【０００３】
そして、このようなフィルム付きメモシートにおいては、フィルムの上面から爪や爪楊枝など先の細いもので押圧すると、フィルムが軟質合成樹脂に密着し、その密着した部分から下の台紙の色が透けて見える。また、フィルムを軟質合成樹脂から剥がすと、透けて見えていた台紙の色が消える。これにより、インクを使用せずに文字や図形が書け、フィルムをめくるだけで簡単に消すことができる。
【先行技術文献】
【特許文献】
【０００４】
【特許文献１】実開平５−３８６６６号公報
【考案の概要】
【考案が解決しようとする課題】
【０００５】
しかしながら、従来のフィルム付きメモシートでは、台紙とフィルムとが同一の形状でぴったりと重なり合っていたため、台紙に粘着したフィルムを剥がすのに手間がかかった。
【０００６】
本考案の課題は、台紙に粘着したフィルムを容易に剥がすことのできるフィルム付きメモシートを提供することである。
【課題を解決するための手段】
【０００７】
請求項１の考案は、フィルム付きメモシートにおいて、
台紙と、
前記台紙に積層されるとともに、少なくとも一端部において当該台紙に固着された透光性のフィルムと、
前記台紙における前記フィルムとの対向面と、前記フィルムにおける前記台紙との対向面と、の少なくとも一方に敷設され、前記台紙と前記フィルムとを剥離可能に接着する第１粘着層と、
前記台紙における前記フィルムとは反対側の面に設けられた第２粘着層と、を備え、
前記フィルムは、
前記台紙に対向するフィルム本体と、
前記フィルム本体から、前記台紙との対向領域よりも外方に延出するタブと、を有することを特徴とする。
【０００８】
請求項２の考案は、請求項１に記載のフィルム付きメモシートにおいて、
前記タブは、前記フィルムの他端部に設けられたことを特徴とする。
【０００９】
請求項３の考案は、請求項１又は２に記載のフィルム付きメモシートにおいて、
前記第２粘着層は、前記台紙の両端部のうち、前記フィルムの他端部から遠い側の領域に設けられたことを特徴とする。
【００１０】
請求項４の考案は、請求項１から３のいずれか一項に記載のフィルム付きメモシートにおいて、
前記フィルムは、前記台紙の中途部に対して固着されたことを特徴とする。
【００１１】
請求項５の考案は、請求項１から４のいずれか一項に記載のフィルム付きメモシートにおいて、
前記台紙と、前記フィルム本体とが同サイズの矩形状であることを特徴とする。
【考案の効果】
【００１２】
請求項１記載の考案によれば、フィルムには、台紙に対向するフィルム本体と、当該フィルム本体から、前記台紙との対向領域よりも外方に延出するタブと、が具備されるので、タブを摘まむことによって、台紙とフィルムのうち、フィルムのみを摘まむことができる。従って、台紙に粘着したフィルムを容易に剥がすことができる。
【００１３】
請求項２記載の考案によれば、タブがフィルムの他端部に設けられるので、台紙に粘着したフィルムを一層容易に剥がすことができる。
【００１４】
請求項３記載の考案によれば、第２粘着層が台紙の両端部のうち、フィルムの他端部から遠い側の領域に設けられるので、端部のみに剥離可能な粘着面を有する付箋紙として、前記フィルム付きメモシートを使用することができる。
【００１５】
請求項４記載の考案によれば、フィルムが台紙の中途部に対して固着されるので、例えばフィルム付きメモシートを本に挟む付箋紙として使用する場合、文字等を書くためのフィルム部分を本の外に出しつつ、当該フィルム付きメモシートを確実に本に挟むことができる。
【図面の簡単な説明】
【００１６】
【図１】フィルム付きメモシートの側面図である。
【図２】(a)は台紙の上面図、(b)は台紙の下面図、(c)はフィルムの下面図である。
【図３】フィルム付きメモシート使用時の図である。
【考案を実施するための形態】
【００１７】
以下に、本考案の実施形態に係るフィルム付きメモシートを、図面を参照しながら説明する。
【００１８】
図１は、フィルム付きメモシート６の側面図である。
この図に示すように、フィルム付きメモシート６は、台紙３と、台紙３に積層されたフィルム１とが一端の固着部５において固着されて形成されている。以下、フィルム付きメモシート６における固着部５側の端部を端部Xとし、その反対側を端部Yとする。
【００１９】
続いて、図２(a)(b)を参照して台紙３の説明をする。
図２(a)は台紙３におけるフィルム１との対向面（以下、台紙の上面３Aとする）、(b)はその反対側の面（以下、台紙の下面３Bとする）を示している。図２(a)(b)に示された台紙３の左側一端部が、図１の端部Xに対応しており、右側一端部が図１の端部Yに対応している。
【００２０】
これらの図に示すように、本実施形態において台紙３は矩形状に形成されている。なお、本実施形態では、台紙３はポリエチレンテレフタレート（PET）とアンチモン及びその化合物（三酸化アンチモン）とを含む材料で有色に形成されている。
【００２１】
台紙の上面３Aにおける端部Xには、フィルム１との張り合わせ接着面３００が設けられており、この接着面３００は、後述のフィルム１における接着面１００と接着されることで、固着部５を形成している。
【００２２】
また、台紙の下面３Bにおける端部Xには、フィルム付きメモシート６を本や机、パソコン等に貼り付けるための粘着層（以下、台紙粘着層４とする）が設けられている。なお、本実施形態において、台紙粘着層４を形成する粘着剤は、アクリル酸エステル共重合体を含んでいる。
【００２３】
続いて、図１，図２(c)を参照してフィルム１の説明をする。
図２(c)はフィルム１の下面図である。この図に示されたフィルム１の左側一端部が、図１の端部Xに対応しており、右側一端部が図１の端部Yに対応している。
【００２４】
フィルム１は、台紙３に対向するフィルム本体１０と、フィルム本体１０から、台紙３との対向領域よりも外方に延出するタブ１１と、を有する。本実施形態において、フィルム本体１０は台紙３と同サイズの矩形状に形成されている。また、本実施形態では、タブ１１は半円状に形成されており、フィルム１における端部Yに設けられている。
【００２５】
フィルム１における端部Xには、台紙３との張り合わせ接着面１００が設けられており、この接着面１００は、上述したように、台紙３における接着面３００と接着されることで、固着部５を形成している。
【００２６】
なお、本実施形態におけるフィルム１は、セルロース、アルミニウム水溶性塩（硫酸アルミニウム）、シリコン、ポリエチレンを含む材料で、透光性を有するよう形成されている。
【００２７】
また、図１に示すように、フィルム１における台紙３との対向面、つまりフィルム本体１０の下面には、フィルム１と台紙３とを剥離可能に接着する粘着層（以下、フィルム粘着層２とする）が敷設されている。なお、本実施形態において、フィルム粘着層２を形成する粘着剤は、ウレタン樹脂とフェノール及びその化合物とを含んでいる。
【００２８】
続いて、図３を参照してフィルム付きメモシート６の使用方法を説明する。
まず、図３(a)に示すように、台紙３とフィルム１とが当接している状態で、芯の出ていないシャープペンシルや、指先の爪部分、爪楊枝等、先端の細いもの（以下、筆記手段Hとする）で文字等を書くようにフィルム１の上面を押圧しながらなぞる。
【００２９】
これにより、筆記手段Hで押圧されたフィルム１の部分が台紙の上面３Aに密着する結果、台紙の上面３Aの色が文字等の形状にフィルム１の上面から透けて見えるようになる。
【００３０】
次に、図３(c)に示すようにフィルム１を台紙３から剥離すると、フィルム１と台紙３との密着部分がなくなるので、透けて見えていた文字等が消える。
【００３１】
以上のフィルム付きメモシート６によれば、フィルム１には、台紙３に対向するフィルム本体１０と、当該フィルム本体１０から、台紙３との対向領域よりも外方に延出するタブ１１と、が具備されるので、タブ１１を摘まむことによって、台紙３とフィルム１のうち、フィルム１のみを摘まむことができる。従って、台紙３に粘着したフィルム１を容易に剥がすことができる。
【００３２】
また、タブ１１がフィルム１の端部Yに設けられるので、台紙３に粘着したフィルム１を一層容易に剥がすことができる。
【００３３】
さらに、台紙粘着層４が台紙の下面３Bの端部Xに設けられるので、剥離可能な粘着面を端部のみに有する付箋紙として、フィルム付きメモシート６を使用することができる。
【００３４】
なお、上記の実施形態においては、フィルム粘着層２がフィルム本体１０の下面に敷設されるように形成されたが、台紙３におけるフィルム本体１０との対向面に敷設されてもよい。あるいは、フィルム本体１０の下面と、台紙３におけるフィルム本体１０との対向面と、の両方に敷設されていてもよい。
【００３５】
また、タブ１１がフィルム１の端部Yに設けられたが、フィルム本体１０の辺のうち、台紙３との張り合わせ接着面１００のある部分以外なら、他の場所に設けられてもよい。
【００３６】
また、台紙粘着層４が台紙の下面３Bの端部Xに設けられたが、台紙の下面３Bのうちどこに設けられてもよく、例えば台紙の下面３B全面に設けられてもよい。
【００３７】
また、フィルム１は端部Xで台紙３と固着されたが、台紙３における端部Ｘと端部Ｙの中途部で固着されてもよい。その場合、例えばフィルム付きメモシート６を本に挟む付箋紙として使用する際、文字等を書くためのフィルム１を本の外に出しつつ、当該フィルム付きメモシート６を確実に本に挟むことができる。
【００３８】
また、台紙３及びフィルム本体１０は同サイズの矩形状に形成されたが、メモシートとしての機能を果たす限りにおいて他の形状に形成されてもよい。また、フィルム本体１０が台紙３と対向している限りにおいて、フィルム本体１０と台紙３とが同サイズである必要はない。
【００３９】
また、タブ１１は半円状に形成されたが、フィルム本体１０を台紙３から剥がす際に摘まみとしての機能を果たす限りにおいて、他の形状に形成されてもよい。
【符号の説明】
【００４０】
１              フィルム
２              フィルム粘着層
３              台紙
３Ａ            台紙の上面
３Ｂ            台紙の下面
４              台紙粘着層
５              固着部
６              フィルム付きメモシート
１０            フィルム本体
１１            タブ
１００，３００  接着面
Ｈ              筆記手段
Ｘ，Ｙ            端部
【図１】
0003153855.tif 000003
【図２】
0003153855.tif 000004
【図３】
0003153855.tif 000005
【手続補正書】
【提出日】平成21年7月22日(2009.7.22)
【手続補正１】
【補正対象書類名】明細書
【補正対象項目名】０００７
【補正方法】変更
【補正の内容】
【０００７】
請求項１の考案は、フィルム付きメモシートにおいて、
台紙と、
前記台紙に積層されるとともに、少なくとも一端部が当該台紙に固着された透光性のフィルムと、
前記台紙における前記フィルムとの対向面と、前記フィルムにおける前記台紙との対向面と、の少なくとも一方に敷設され、前記台紙と前記フィルムとを剥離可能に接着する第１粘着層と、
前記台紙における前記フィルムとは反対側の面に設けられた第２粘着層と、を備え、
前記フィルムは、
前記台紙に対向するフィルム本体と、
前記フィルム本体から、前記台紙との対向領域よりも外方に延出するタブと、を有することを特徴とする。
【手続補正２】
【補正対象書類名】実用新案登録請求の範囲
【補正対象項目名】全文
【補正方法】変更
【補正の内容】
【実用新案登録請求の範囲】
【請求項１】
台紙と、
前記台紙に積層されるとともに、少なくとも一端部が当該台紙に固着された透光性のフィルムと、
前記台紙における前記フィルムとの対向面と、前記フィルムにおける前記台紙との対向面と、の少なくとも一方に敷設され、前記台紙と前記フィルムとを剥離可能に接着する第１粘着層と、
前記台紙における前記フィルムとは反対側の面に設けられた第２粘着層と、を備え、
前記フィルムは、
前記台紙に対向するフィルム本体と、
前記フィルム本体から、前記台紙との対向領域よりも外方に延出するタブと、を有することを特徴とするフィルム付きメモシート。
【請求項２】
前記タブは、前記フィルムの他端部に設けられたことを特徴とする請求項１に記載のフィルム付きメモシート。
【請求項３】
前記第２粘着層は、前記台紙の両端部のうち、前記フィルムの他端部から遠い側の領域に設けられたことを特徴とする請求項１又は２に記載のフィルム付きメモシート。
【請求項４】
前記フィルムは、前記台紙の中途部に対して固着されたことを特徴とする請求項１から３のいずれか一項に記載のフィルム付きメモシート。
【請求項５】
前記台紙と、前記フィルム本体とが同サイズの矩形状であることを特徴とする請求項１から４のいずれか一項に記載のフィルム付きメモシート。